(57)【特許請求の範囲】
【請求項１】
カット紙プリンタの給紙ユニットにセットされているカット紙パイルの上部側面に向けて除電エアを吹き付ける除電器を，前記カット紙パイルの外周４方向に設けた構成になっており，前記カット紙パイルの頂点形状に沿って除電エアを吹き付けるために，前記除電器の構造を，除電エアを吐出する円形全面吐出型のノズルを吐出範囲の一部が重なるように複数直列に並べたバータイプとし，前記カット紙パイルの外周４方向を，前記カット紙パイルの対角方向とし，前記ノズルの吐出角を９０度にしたことを特徴とするカット紙除電システム。
【発明の詳細な説明】
【技術分野】
【０００１】
カット紙プリンタの給紙ユニットからフィードするカット紙の帯電を除去する技術に関する。
【背景技術】
【０００２】
所定のサイズに裁断したカット紙をカット紙プリンタにて印刷する際，カット紙を山積みした状態のカット紙パイルを給紙ユニットにセットし，給紙ユニットから印刷ユニットへカット紙を一枚ずつフィードするが，複数枚のカット紙が一度にフィードされる多重送りが印刷開始時や印刷中に発生することがある。
【０００３】
カット紙の多重送りが発生すると，複数枚が重なり合ったカット紙が搬送経路上で詰まるなどしてカット紙プリンタが停止し、カット紙プリンタの稼働効率が低下する。加えて，カット紙が高価な場合は，カット紙の多重送りによって損紙になるカット紙に係る不要なコストも発生する。
【０００４】
カット紙の多重送りが発生する原因は様々あるが，その一つとして、静電気が挙げられる。カット紙に静電気が帯電すると，クーロン力が働いてカット紙同士が密着し，複数枚のカット紙が一度に給紙ユニットからフィードされてしまう。
【０００５】
カット紙の多重送りを防止するために，カット紙パイルをカット紙プリンタの給紙ユニットにセットする際，カット紙パイルに含まれるカット紙が一枚ずつ分離するようにカット紙の間にエアを入れる作業（通称，紙捌き）が作業者によって行われる。また，特許文献１，２には，カット紙の多重送りを防止する技術として，給紙ユニットからフィードするカット紙にエアを吹き付け，カット紙間にエアを含ませることが記載されている。更に、特許文献２では，静電気によりカット紙が密着している場合は，カット紙プリンタの給紙ユニットからフィードするカット紙に吹き付けるエアに除電イオンを含ませることが記載されている。
【先行技術文献】
【特許文献】
【０００６】
【特許文献１】特開平６−２１９５７８号公報
【特許文献２】特許第３７９８３２４号公報
【発明の概要】
【発明が解決しようとする課題】
【０００７】
しかしながら，カット紙に帯電している静電気の帯電量が大きい場合，カット紙プリンタの給紙ユニットからフィードするカット紙の前方から除電エアを吹き付けても，このカット紙に帯電している静電気を除去できず，カット紙の多重送りが発生してしまうことがあった。
【０００８】
そこで，本発明は，カット紙における静電気の帯電量が大きい場合であっても，カット紙プリンタの給紙ユニットからフィードするカット紙の静電気を除去できるシステムを提供することを目的とする。
【課題を解決するための手段】
【０００９】
上述した課題を解決する本発明は，カット紙プリンタの給紙ユニットにセットされているカット紙パイルの上部側面に向けて除電エアを吹き付ける除電器を，前記カット紙パイルの外周４方向に設けた構成になっており，前記カット紙パイルの頂点形状に沿って除電エアを吹き付けるために，前記除電器の構造を，除電エアを吐出する円形全面吐出型のノズルを吐出範囲の一部が重なるように複数直列に並べたバータイプとし，前記カット紙パイルの外周４方向を，前記カット紙パイルの対角方向とし，前記ノズルの吐出角を９０度にしたことを特徴とするカット紙除電システムである。
【００１０】
前記カット紙パイルの上部側面に向けて除電エアを吹き付けるように構成することで，給紙ユニットでカット紙がフィードされる時点ではなく，給紙ユニットでフィードされる前段階からカット紙に除電エアを吹き付けることになるため，給紙ユニットでフィードするカット紙に除電エアを吹き付ける時間が長くなる。除電エアを吹き付ける時間を長くできれば，除電できる静電気の帯電量も増すため，カット紙における静電気の帯電量が大きい場合であっても，カット紙プリンタの給紙ユニットからフィードするカット紙の静電気を除去できる。また，除電エアを吹き付ける前記除電器を前記カット紙パイルの外周４方向に設けることで，除電エアの吹き付けムラを抑えることができる。
【発明の効果】
【００１１】
このように，本発明によれば，カット紙における静電気の帯電量が大きい場合であっても，カット紙プリンタの給紙ユニットからフィードするカット紙の静電気を除去できるシステムを提供できる。
【図面の簡単な説明】
【００１２】
【図１】本実施形態に係るカット紙除電システムの構成を説明する図。
【図２】本実施形態に係る除電器を説明する図。
【図３】本実施形態に係る除電器の配置を説明する図。
【発明を実施するための形態】
【００１３】
ここから，本発明の好適な実施形態を記載する。なお，以下の記載は本発明の範囲を束縛するものでなく，理解を助けるために記述するものである。
【００１４】
図１は，本実施形態に係るカット紙除電システム１の構成を説明する図である。本実施形態に係るカット紙除電システム１は，所定のサイズに裁断したカット紙３の印刷に用いるカット紙プリンタ２の給紙ユニット２０に設置されるシステムである。
【００１５】
図１では，カット紙プリンタ２を単純化して図示している。カット紙プリンタ２の給紙ユニット２０には，カット紙３が山積みされたカット紙パイル３ａがセットされ，取り出しローラ２０ａは，カット紙パイル３ａにおいて先頭になるカット紙３が取り出し，ニップロール２０ｂは，取り出しローラ２０ａが取り出したカット紙３を印刷ユニット２１にフィードする。印刷ユニット２１は，感光ドラム２１ａを用いて，給紙ユニット２０からフィードされたカット紙３を印刷し，排紙ユニット２２は，印刷ユニット２１にて印刷されたカット紙３を山積みする。
【００１６】
カット紙プリンタ２を設置する部屋に適切な湿度がないなどして，カット紙３における静電気の帯電量が大きくなると，カット紙３の多重送りが多発するため，図１では，本実施形態に係るカット紙除電システム１をカット紙プリンタ２の給紙ユニット２０に設置し，カット紙３における静電気の帯電量が大きい場合であっても，給紙ユニット２０からフィードされるカット紙３の静電気を除去できるようにしている。
【００１７】
図１に図示したように，本実施形態に係るカット紙除電システム１は，カット紙プリンタ２の給紙ユニット２０にセットされているカット紙パイル３ａの上部側面に向けて除電エアを吹き付ける除電器１０を，カット紙パイル３ａの外周４方向に設けたシステムで，図１では，４つの除電器１０に加え，４つの除電器１０の動作を制御するコントローラ１１を本実施形態に係るカット紙除電システム１に含ませている。
【００１８】
実施形態の除電器１０は，除電イオンを含む除電エアを吐出させて，カット紙３の静電気を除去する装置である。除電エアに含ませる除電イオンは空気の分子を分解することで得られ，空気の分子を分解する方法は，軟Ｘ線を用いる方法とコロナ放電を用いる方法のいずれでもよい。この除電イオンにはプラスとマイナスのイオンが含まれ，カット紙パイル３ａに除電エアを吹き付けると，静電気の極性とは反対極性のイオンがカット紙３に補充され，カット紙３に発生している静電気が除去される。
【００１９】
図２は，本実施形態に係る除電器１０を説明する図である。カット紙プリンタ２の給紙ユニット２０に設置する都合上、除電器１０は小型であることが望ましい。そこで，図２に図示したように，本実施形態の除電器１０を，除電エアを吐出するノズル１０ａを複数直列に並べた小型のバータイプにすることで，カット紙プリンタ２の給紙ユニット２０に除電器１０を設置しても、カット紙プリンタ２の給紙ユニット２０内で場所をとらないようにしている。なお，除電エアを吐出するノズル１０ａの吐出角は様々あるが，カット紙パイル３ａの上部の外周側面の広範囲に除電エアを吹き付けることができるように，除電エアを吐出するノズル１０ａの吐出角は広角（例えば，９０°）であることが望ましい。
【００２０】
また，静電気の帯電量が大きくなるほど，静電気の帯電量を所定値まで低下させるために必要な除電時間は長くなる。そこで，本実施形態では，除電エアを吐出するノズル１０ａを複数直列に並べたバータイプの除電器１０を採用することで，除電器１０が直線状に除電エアを吐出できるようにし，カット紙パイル３ａの上部側面からカット紙パイル３ａの内側に向けて除電エアを吹き付けるように除電器１０を配置することで， カット紙パイル３ａの先頭になるカット紙３のみならず，カット紙パイル３ａの上部にある複数枚のカット紙３に除電エアを吹き付けることで，カット紙３に除電エアを吹き付ける時間を長くしている。
【００２１】
図３は，本実施形態に係る除電器１０の配置を説明する図である。カット紙３における静電気の帯電量が大きい場合，２枚以上のカット紙３が全面密着してしまうケースが多くなる。全面密着している２枚のカット紙３を手ではがす際，辺からではなく隅からはがすと，全面密着している２枚のカット紙３をはがし易いため，本実施形態では，全面密着している２枚以上のカット紙３が隅からはがれるように，カット紙パイル３ａの対角方向に除電器１０を設置している。
【００２２】
本実施形態に係るカット紙除電システム１のコントローラ１１は，除電エアを吹き付ける除電器１０の動作を制御する機能を有する。コントローラ１１は，除電エアを吹き付ける除電器１０の動作を制御する機能として，除電エアに含ませる除電イオンのイオンバランスを適正値に制御する機能，除電エアの吐出のＯＮ／ＯＦＦを制御する機能などを有する。本実施形態に係るコントローラ１１には，除電エアの吐出のＯＮ／ＯＦＦを制御するために，カット紙プリンタ２の稼働信号が入力され，本実施形態に係るコントローラ１１は，カット紙プリンタ２の稼働信号がＯＮの時のみ除電エアの吐出をＯＮにすることで，静電気の除電に係る電力の節電を図っている。
【符号の説明】
【００２３】
１    カット紙除電システム
１０  除電器
１１  コントローラ
２    カット紙プリンタ
２０  給紙ユニット２０
３    カット紙
３ａ  カット紙パイル
【図１】
0006561451.tif 000002
【図２】
0006561451.tif 000003
【図３】
0006561451.tif 000004